(57)【要約】【課題】身体不自由者でも身体を容易に洗うことのできる装置を提供する。【解決手段】上下方向のスリットを有する任意形状の箱体内にモーターを設け、該モーターの軸回転に連動してスリットに沿って昇降する接触体を箱体外に設け、モーター軸回転の反転機構を備えたことを特徴とする。【選択図】図８
2010253230.tif 000002
【特許請求の範囲】
【請求項１】
上下方向のスリットを有する任意形状の箱体内にモーターを設け、該モーターの軸回転に連動してスリットに沿って昇降する接触体を箱体外に設け、モーター軸回転の反転機構を備えたことを特徴とする洗体装置。
【発明の詳細な説明】
【技術分野】
【０００１】  この発明は、人体を自動的に洗うための洗体装置に関する。
【背景技術】
【０００２】  従来より、人体に対する指圧的効果を発揮させるための装置は多用されているが、本発明にて示すように、人体を洗うための装置は現在のところ見あたらない。
【発明の開示】
【発明が解決しようとする課題】
【０００３】  浴室などにて人体を洗うとき、通常はその人自身が行うが、身体不自由者等のばあいは他人に洗ってもらうことになり、多くの労力を必要とするものであった。本発明は、以上に鑑み、機械的装置にて人体の洗浄を行うべく発明されたもので、単なるスイッチ操作にて身体の自動洗浄を可能とする、新規かつ有用なる装置を提供するものである。
【課題を解決するための手段】
【０００４】  課題を解決する手段として本発明は以下の構成とした。
すなわち、上下方向のスリットを有する任意形状の箱体内にモーターを設け、該モーターの軸回転に連動してスリットに沿って昇降する接触体を箱体外に設け、モーター軸回転の反転機構を備える。本発明は以上の構成よりなる洗体装置である。
【発明の効果】
【０００５】  本発明によれば、箱体前面に沿ってソフトな接触体が反復昇降するので、人体を所定に位置させるだけで洗うことのできる有用なる装置を得ることができる。また、接触体は交換可能のため、人体サイズ・形状に対応させて用いることができる。
【発明を実施するための最良の形態】
【０００６】  以下、本発明の実施形態について説明する。
図において、１は木製のケースで、前板と後板を有している。２はケース中央寄りの前板表面と裏面の上方から下方に向かって設けられる凹部、３は該凹部中央に設けられるスリットである。４はケース内適所に適宜支持部材にて取り付けられる減速機構内蔵型のモーター、５はモーター軸にその一端が軸と直角に取り付けられるアームで、その中央にはアームスリット６が形成されている。７は上部リミットスイッチ、８は下部リミットスイッチで、モーター軸位置に対し対称形に、適宜支持部材（図示略）にて前板裏面に各々取り付けられる。９は丸棒状の支軸で、その一端はセンター軸１０の中央に直交して固着される。支軸の他端は前記のアームスリット内にスライド可能に位置し、また支軸はスリット３を通過しているが、段部内には内方スライド板１１と外方スライド板１２が凹部面に接触して位置するとともに、この各スライド板は支軸に固着されている。
従って、以上からアームの回動にてアームスリット内の支軸は各スライド板が凹部に沿って昇降するために、支軸もこれに沿って昇降する。支軸に固着されるセンター軸は、その中央が太く、段部を有して両側はやや細く、両端には雌ねじが刻設される。
１３は接触体で、軟質発泡樹脂にて略円筒形に形成されるとともに、その中央には孔が設けられ、この孔内に前記センター軸が位置し、雄ねじを有するつまみ状の接触体固定具１４のセンター軸雌ねじへの螺着にて接触体はセンター軸に各々取り付けられる。
１５はバッテリーで、ケース内下部に位置し、モーターと各リミットスイッチに、三路三極スイッチ方式にて結線される。（結線表現略）また、ケース表面適所にメインスイッチ（図示略）が設けられる。【０００７】  本発明の使用に際しては、まず本品を浴室内の適所に置く。次に、図８のように使用者はケースに背を向けてすわり、メインスイッチを投入する。このスイッチ投入にてモーターは駆動し、アームはモーター軸を回転中心として回転を始める。このアーム回転にて、アームスリット内に位置する支軸はスリットに沿って上昇する。アームが所定位置に至ればアーム側面は上部リミットスイッチに接触し、これにてモーターへの通電極性は逆転し、モーターは逆方向へと回転を始め、アームは逆方向へと動き、支軸はスリットに沿って下降する。そしてアームが下部リミットスイッチに接触して再度モーターは逆転し、アームは上昇へと移行する。このように、リミットスイッチにてモーター回転方向は反復逆転し、支軸はスリット内を反復昇降する。この支軸はセンター軸に固着され、センター軸には接触体が取り付けられているので、この接触体もスリットに沿って反復昇降する。
従って、背中を軽く接触体に押しあてることにて背中の摩擦運動がなされ、たとえば接触体に洗剤を含浸させることにて自動的に背中を洗うことができる。なお、支軸には外方スライド板と内方スライド板が取り付けられ、各スライド板は凹部面に接しているので、スリットと一定距離・方向を保ちつつ接触体を昇降させることができる。また、図７のごとく、支軸を延長してここに別の小型接触体を挿入保持可能とすれば、背中中央のくぼみ洗浄も容易である。【０００８】  以上、本発明について記したが、本発明はシンプルな構成にて接触体を反復昇降させるところにその特徴を有するものである。従来はこのような装置がなく、介護者によって身体洗浄がなされていたが、本発明にて機械的に身体洗浄を行うことが可能となったのである。図示の例では背中洗浄を示したが、腹側の洗浄も可能であり、また手や足を所定に位置させての部分洗浄も可能である。接触体は接触体固定具を外すことにて交換が可能のため、図示以外の種々の形状・サイズの接触体を取り付けて使用することができ、必要に応じて接触体自体の洗浄もできる。なお、既述の例ではバッテリーを電源に用いたが、アダプターを介してＡＣ１００Ｖに接続して用いてもよい。また、スリットを覆うようにスリット入りのフィルムを設けることにて本装置への洗剤等の侵入を防止することができる。
以上のごとく、本発明によって容易かつ能率よく身体を洗浄することのできる装置を得ることができる。
【図面の簡単な説明】
【０００９】
【図１】  本発明の平面図
【図２】  本発明の正面図
【図３】  本発明の右側面図
【図４】  本発明の要部構造説明図
【図５】  本発明の作動機構説明図（背面視）
【図６】  本発明の要部説明図
【図７】  本発明の他例における要部説明図
【図８】  本発明の使用状態説明図
【符号の説明】
【００１０】  １  ケース
２  凹部
３  スリット
４  モーター
５  アーム
６  アームスリット
７  上部リミットスイッチ
８  下部リミットスイッチ
９  支軸
１０  センター軸
１１  内方スライド板
１２  外方スライド板
１３  接触体
１４  接触体固定具
１５  バッテリー
１６  中央接触体
【図１】
2010253230.tif 000003
【図２】
2010253230.tif 000004
【図３】
2010253230.tif 000005
【図４】
2010253230.tif 000006
【図５】
2010253230.tif 000007
【図６】
2010253230.tif 000008
【図７】
2010253230.tif 000009
【図８】
2010253230.tif 000010